(57)【特許請求の範囲】
【請求項１】
管渠と流入水路の間に流入ゲートによって開閉される流入渠が設けられ、前記流入ゲートの開成状態で前記管渠から流入渠に流下してきた水を前記流入水路から吸水槽に導入して、該吸水槽に設置されている第１のポンプによって吸い上げるように構成されたポンプ場において、前記流入渠に第２のポンプを設置し、前記流入ゲートを閉成して前記第２のポンプにより流入渠の排水および該流入渠内の沈砂の排出を行うことを特徴とするポンプ場の排水および沈砂除去方法。
【発明の詳細な説明】
【０００１】
【発明の属する技術分野】
本発明は、汚水中継ポンプ場などに好適なポンプ場の排水および沈砂除去方法に関する。
【０００２】
【従来の技術】
従来より、この種のポンプ場は、図６および図７に示すように、管渠１と流入水路２の間に流入ゲート３によって開閉される流入渠４が設けられ、流入ゲート３の開成状態で管渠１から流入渠４に流下してきた汚水を流入水路２から吸水槽５，５に導入して、吸水槽５，５に設置されているポンプＰ１，Ｐ２によって吸い上げるように構成されている。
【０００３】
このようなポンプ場では、流入ゲート３を開成しておくことで、管渠１から流入渠４に流下してきた水は、流入水路２を通って吸水槽５，５に導入され、ポンプＰ１，Ｐ２によって吸い上げられる。
【０００４】
ところで、この種のポンプ場におけるポンプＰ１，Ｐ２のメンテナンスは、流入ゲート３を閉成し、かつポンプＰ１，Ｐ２の運転を停止することによって行われる。ところが、メンテナンスの開始から完了するまでは比較的長時間を要するので、その間に管渠１からの流下汚水により流入渠４の水位が必要以上に高くなる場合がある。このような場合には、流入渠４の汚水を排水することが要求される。しかし、流入渠４の汚水を排水する機能を有していないので排水の要求を満足させることができない。しかも、流入渠４内の沈砂を排出する機能をも有していないため、大量の沈砂が流入渠４の底面４Ａに堆積するおそれもある。
【０００５】
【発明が解決しようとする課題】
すなわち、第１のポンプのメンテナンスに際して、流入渠の汚水を排水することが要求されてもその排水が不可能であるとともに、大量の沈砂が流入渠の底面に堆積するおそれもある。
【０００６】
そこで、本発明は、第１のポンプのメンテナンスに際して、流入渠の汚水を排水することが要求された場合に、その排水を可能にするとともに、流入渠の底面に大量の沈砂が堆積するのを防止し、かつポンプ場内に発生するスカムやし渣も除去することができるポンプ場の排水および沈砂除去方法を提供することを目的としている。
【０００７】
【課題を解決するための手段】
前記目的を達成するために、本発明は、管渠と流入水路の間に流入ゲートによって開閉される流入渠が設けられ、前記流入ゲートの開成状態で前記管渠から流入渠に流下してきた水を前記流入水路から吸水槽に導入して、該吸水槽に設置されている第１のポンプによって吸い上げるように構成されたポンプ場において、前記流入渠に第２のポンプを設置し、前記流入ゲートを閉成して前記第２のポンプにより流入渠の排水および該流入渠内の沈砂の排出を行うことを特徴としている。
【０００８】
本発明によれば、流入ゲートを閉成し、かつ第１のポンプの運転を停止して、該第１のポンプのメンテナンスを行う際に、流入渠の水を排水することが要求された場合には、第２のポンプを運転することにより、流入渠の水を排水するとともに、流入渠の底面に堆積している沈砂を排出しスカムやし渣も除去することができる。
【０００９】
【発明の実施の形態】
以下、本発明の一実施の形態を図面に基づいて説明する。図１は平面図、図２は図１の縦断側面図である。なお、図６および図７の従来例と同一もしくは相当部分には、同一符号を付して説明する。図１および図２において、ポンプ場は、管渠１と流入水路２の間に流入ゲート３によって開閉される流入渠４が設けられ、流入ゲート３の開成状態で水路１から流入渠４に流下してきた汚水を流入水路２から吸水槽５，５に導入して、吸水槽５，５に設置されている第１のポンプＰ１，Ｐ２によって吸い上げるように構成されている。流入水路２の底面は、上流側から下流側にかけて下がり勾配に傾斜しており、昇降手段６によって流入水路２の汚水中に浸漬したり流入水路２から引上げられる破砕機７が設置されている。
【００１０】
一方、第１のポンプＰ１，Ｐ２の外周と吸水槽５，５の内周によって囲まれる環状の流路８，８が形成され、これら環状の流路８，８に流入水路２の水を導入して環状の流路８，８内でポンプ羽根車（図示省略）の回転方向Ｒ１と同じ方向Ｒ２に旋回する予旋回流を発生させる流入路９，９が形成されている。すなわち、流入路９，９は、環状の流路８，８における図１の投影平面で上側に偏った位置にあり、環状の流路８，８の接線方向もしくはこれに近い方向に指向して形成されている。
【００１１】
他方、流入渠４に連通して側方に突出した吸水部１０が形成され、この吸水部１０に第２のポンプＰ３を設置してある。第２のポンプＰ３の外周と吸水部１０の内周によって囲まれる環状の流路１１が形成され、この環状の流路１１に流入渠４の水を導入して環状の流路１１内でポンプ羽根車（図示省略）の回転方向Ｒ１と同じ方向Ｒ２に旋回する予旋回流を発生させる流入路１２が形成されている。図中１３はスクリーンを示す。なお、環状の流路１１、流入路１２およびスクリーン１３は必ずしも必要としない。
【００１２】
このような構成であれば、流入ゲート３を開成しておけば、管渠１から流入渠４に流下してきた水は、流入水路２を通って吸水槽５，５に導入され、第１のポンプＰ１，Ｐ２の吸込口から吸い上げられる。汚水とともに流入水路２に流下したきた木片などの異物は、汚水中に浸漬された破砕機７により細かく破砕される。細かく破砕された異物は汚水とともに吸水槽５，５に導入される。したがって、第１のポンプＰ１，Ｐ２は詰まりを生じることなく異物を排出することができる。
【００１３】
一方、経時により流入水路２の底面２Ａに沈砂Ｓがある程度堆積した場合、このタイミングを見計らって、流入ゲート３を閉成して一旦流入渠４に貯水する（たとえば晴天時の夜間）。これにより沈砂Ｓは底面２Ａ上に露出する。流入渠４の水位が所定水位ＷＬまで上昇したならば流入ゲート３を開成する。その結果、流入渠４の水は流入水路２に急激に放流され、流入水路２の底面２Ａに堆積している沈砂Ｓを流入路９，９に向けて押し流す。すなわち、大量の沈砂Ｓが堆積する前段で、流入水路２の底面２Ａにある程度堆積した沈砂Ｓを簡単に除去することができる。また、スカムやし渣も除去できる。なお、破砕機７は、急激放流時に流れの大きな抵抗になることがある。このような場合には、昇降手段６によって、図２の実線で示すように引上げておけばよい。
【００１４】
流入路９，９に押し流された沈砂Ｓは吸水槽５，５の環状の流路８、８に導入される。環状の流路８，８では汚水とともに第１のポンプＰ１，Ｐ２の羽根車の回転方向Ｒ１と同じ方向Ｒ２に予旋回して第１のポンプＰ１，Ｐ２の吸込口直下に集められる。したがって、第１のポンプＰ１，Ｐ２により汚水ととも沈砂Ｓを容易に排出することができる。また、本予旋回流により、沈砂Ｓをかきあげる「かきあげ作用」が発生して、沈砂Ｓを沈殿させることなく第１のポンプＰ１，Ｐ２の吸込口から吸込んで堆積を防止することができる。なお、第１のポンプＰ１，Ｐ２の運転は、前記急激放流中でもあるいは急激放流後しばらく経ってからでもよい。
【００１５】
他方、流入ゲート３を閉成し、かつ第１のポンプＰ１，Ｐ２の運転を停止して、該第１のポンプＰ１，Ｐ２のメンテナンスを行う際に、流入渠４の水を排水することが要求された場合には、第２のポンプＰ３を運転することにより、流入渠４の汚水を吸水部１０の環状の流路１１に導入し、環状の流路１１では第２のポンプＰ３の羽根車の回転方向Ｒ１と同じ方向Ｒ２に汚水を予旋回させて、第２のポンプＰ３の吸込口から吸込んで排水することができる。また、流入渠４の底面４Ａに堆積している沈砂Ｓを第２のポンプＰ３によって沈殿させることなく汚水とともに排出し、流入渠４の底面４Ａに大量の沈砂が堆積するのを防止することができる。
【００１６】
前記実施の形態では、２つの吸水槽５，５と２台の第１のポンプＰ１，Ｐ２を使用して説明しているが、吸水槽５，５と第１のポンプＰ１，Ｐ２の数は前記実施の形態で述べた２つのみに限定されるものではなく、それぞれが１もしくは３つ以上であってもよい。また、図３に示すように、流入渠４に連通して両側方に突出した吸水部１０，１０を形成し、これら吸水部１０，１０のそれぞれに第２のポンプＰ３，Ｐ４を設置してもよい。
【００１７】
さらに、流入渠４の幅方向の断面形状は、図４および図５に示すように、吸水部１０側に向かって下がり勾配に傾斜させてもよい。このように傾斜させることで、吸水部１０への沈砂Ｓの集まりが良くなって、除去効果を向上させることができる。
【００１８】
【発明の効果】
以上説明したように、本発明は、流入ゲートを閉成し、かつ第１のポンプの運転を停止してメンテナンスを行う際に、流入渠の水を排水することが要求された場合には、第２のポンプを運転することにより、流入渠内の水を排水することができるとともに、流入渠の底面に堆積している沈砂を第２のポンプによって汚水とともに排出し、流入渠の底面に大量の沈砂が堆積するのを防止し、かつスカムやし渣も除去することができる。
【図面の簡単な説明】
【図１】本発明の一実施の形態を示す平面図である。
【図２】図１の縦断側面図である。
【図３】流入渠の変形例を示す部分平面図である。
【図４】流入渠の幅方向の断面形状の一例を示す断面図である。
【図５】流入渠の幅方向の断面形状の他の例を示す断面図である。
【図６】従来例の平面図である。
【図７】図６の縦断側面図である。
【符号の説明】
１  管渠
２  流入水路
３  流入ゲート
４  流入渠
５  吸水槽
Ｐ１  第１のポンプ
Ｐ２  第１のポンプ
Ｐ３  第２のポンプ
Ｐ４  第２のポンプ
Ｓ  沈砂
【図１】
0003643655.tif 000002
【図２】
0003643655.tif 000003
【図３】
0003643655.tif 000004
【図４】
0003643655.tif 000005
【図５】
0003643655.tif 000006
【図６】
0003643655.tif 000007
【図７】
0003643655.tif 000008